【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】  ヘリコバクターに感染した対象を治療するための組成物を製造するための抗菌的に有効量の組成物の使用であって、該組成物が、グルコシノラート、イソチオシアネート、またはそれらの誘導体を含有する使用。
【請求項２】  前記イソチオシアネートが、スルフォラファン、スルフォラフェン、エリソリン、エルシン、イベリン、アリシン、ベルテロイン、イベルベリン、ケイロリン、5-メチルスルフィニルペンチルイソチオシアネート、6-メチルスルフィニルヘキシルイソチオシアネート、7-メチルスルフィニルヘプチルイソチオシアネート、8-メチルスルフィニルオクチルイソチオシアネート、9-メチルスルフィニルノニルイソチオシアネート、10-メチルスルフィニルデシルイソチオシアネート、フェニルエチルイソチオシアネート、4-(α-L-ラムノピラノシルオキシ)ベンジルイソチオシアネート、3-(α-L-ラムノピラノシルオキシ)ベンジルイソチオシアネート、2-(α-L-ラムノピラノシルオキシ)ベンジルイソチオシアネート、4-(4'-O-アセチル-α-L-ラムノピラノシルオキシ)ベンジルイソチオシアネート、またはそれらの誘導体である、請求項１記載の使用。
【請求項３】  前記イソチオシアネートがスルフォラファンである、請求項２記載の使用。
【請求項４】  前記組成物が、食品、補助食品、栄養補助食品、または食品添加物である、請求項１記載の使用。
【請求項５】  前記組成物が、グルコシノラートまたはそれらの誘導体を含有する、請求項４記載の使用。
【請求項６】  前記組成物が薬学的組成物である、請求項１記載の使用。
【請求項７】  前記薬学的組成物が経口投与される、請求項６記載の使用。
【請求項８】  前記ヘリコバクターに感染した対象が、潰瘍に罹患している、請求項１記載の使用。
【請求項９】  前記対象が、胃癌に罹患しているまたは胃癌発症のリスクがある、請求項１記載の使用。
【請求項１０】  前記ヘリコバクターがヘリコバクターピロリである、請求項１記載の使用。
【請求項１１】  対象に抗生物質を投与することをさらに含む、請求項１記載の使用。
【請求項１２】  前記抗生物質が、アモキシシリンおよびクラリスロマイシンからなる群より選択される、請求項１１記載の使用。
【請求項１３】  対象を治療することを含む、対象におけるヘリコバクター感染を予防するための組成物を製造するための抗菌的に有効量の組成物の使用であって、該組成物がグルコシノラート、イソチオシアネート、またはそれらの誘導体を含有する使用。
【請求項１４】  前記イソチオシアネートが、スルフォラファン、スルフォラフェン、エリソリン、エルシン、イベリン、アリシン、ベルテロイン、イベルベリン、ケイロリン、5-メチルスルフィニルペンチルイソチオシアネート、6-メチルスルフィニルヘキシルイソチオシアネート、7-メチルスルフィニルヘプチルイソチオシアネート、8-メチルスルフィニルオクチルイソチオシアネート、9-メチルスルフィニルノニルイソチオシアネート、10-メチルスルフィニルデシルイソチオシアネート、フェニルエチルイソチオシアネート、4-(α-L-ラムノピラノシルオキシ)ベンジルイソチオシアネート、3-(α-L-ラムノピラノシルオキシ)ベンジルイソチオシアネート、2-(α-L-ラムノピラノシルオキシ)ベンジルイソチオシアネート、4-(4'-O-アセチル-α-L-ラムノピラノシルオキシ)ベンジルイソチオシアネート、またはそれらの誘導体である、請求項１３記載の使用。
【請求項１５】  前記イソチオシアネートがスルフォラファンである、請求項１４記載の使用。
【請求項１６】  前記ヘリコバクターがヘリコバクターピロリである、請求項１３記載の使用。
【請求項１７】  前記組成物が、食品、補助食品、栄養補助食品、または食品添加物である、請求項１３記載の使用。
【請求項１８】  前記組成物が、グルコシノラートまたはそれらの誘導体を含有する、請求項１７記載の使用。
【請求項１９】  前記組成物が薬学的組成物である、請求項13記載の使用。
【請求項２０】  前記薬学的組成物が経口投与される、請求項１９記載の使用。
【請求項２１】  ヘリコバクターに投与することを含む、ヘリコバクターの増殖を阻害するための組成物を製造するためのグルコシノラート、イソチオシアネート、またはそれらの誘導体からなる群より選択される作用物質の抗菌的有効量の使用。
【請求項２２】  前記イソチオシアネートが、スルフォラファン、スルフォラフェン、エリソリン、エルシン、イベリン、アリシン、ベルテロイン、イベルベリン、ケイロリン、5-メチルスルフィニルペンチルイソチオシアネート、6-メチルスルフィニルヘキシルイソチオシアネート、7-メチルスルフィニルヘプチルイソチオシアネート、8-メチルスルフィニルオクチルイソチオシアネート、9-メチルスルフィニルノニルイソチオシアネート、10-メチルスルフィニルデシルイソチオシアネート、フェニルエチルイソチオシアネート、4-(α-L-ラムノピラノシルオキシ)ベンジルイソチオシアネート、3-(α-L-ラムノピラノシルオキシ)ベンジルイソチオシアネート、2-(α-L-ラムノピラノシルオキシ)ベンジルイソチオシアネート、4-(4'-O-アセチル-α-L-ラムノピラノシルオキシ)ベンジルイソチオシアネート、またはそれらの誘導体である、請求項２１記載の使用。
【請求項２３】  前記イソチオシアネートがスルフォラファンである、請求項２１記載の使用。
【請求項２４】  前記ヘリコバクターがヘリコバクターピロリである、請求項２１記載の使用。
【請求項２５】  前記作用物質が組成物として投与される、請求項２１記載の使用。
【請求項２６】  前記組成物が、食品、補助食品、栄養補助食品、または食品添加物である、請求項２５記載の使用。
【請求項２７】  前記組成物が、グルコシノラートまたはそれらの誘導体を含有する、請求項２６記載の使用。
【請求項２８】  前記組成物が薬学的組成物である、請求項２５記載の使用。
【請求項２９】  前記ヘリコバクターへ抗生物質を投与することをさらに含む、請求項２１記載の使用。
【請求項３０】  前記抗生物質が、アモキシシリンおよびクラリスロマイシンからなる群より選択される、請求項２９記載の使用。
【請求項３１】  下記の段階を含むヘリコバクターの増殖を調節する作用物質の同定方法：
a.ヘリコバクターを前記作用物質で処理し、該ヘリコバクターの増殖をアッセイする段階：
b.ヘリコバクター増殖の公知のモジュレーターを用いて該ヘリコバクターを処理し、ヘリコバクターの増殖をアッセイする段階であって、該公知のヘリコバクター増殖のモジュレーターが、イソチオシアネート、グルコシノラート、およびそれらの誘導体からなる群より選択される段階；ならびに
c.(a)および(b)におけるヘリコバクター増殖のレベルを比較し、該作用物質がヘリコバクター増殖を調節するか否か決定する段階。
【請求項３２】  前記イソチオシアネートが、スルフォラファン、スルフォラフェン、エリソリン、エルシン、イベリン、アリシン、ベルテロイン、イベルベリン、ケイロリン、5-メチルスルフィニルペンチルイソチオシアネート、6-メチルスルフィニルヘキシルイソチオシアネート、7-メチルスルフィニルヘプチルイソチオシアネート、8-メチルスルフィニルオクチルイソチオシアネート、9-メチルスルフィニルノニルイソチオシアネート、10-メチルスルフィニルデシルイソチオシアネート、フェニルエチルイソチオシアネート、4-(α-L-ラムノピラノシルオキシ)ベンジルイソチオシアネート、3-(α-L-ラムノピラノシルオキシ)ベンジルイソチオシアネート、2-(α-L-ラムノピラノシルオキシ)ベンジルイソチオシアネート、4-(4'-O-アセチル-α-L-ラムノピラノシルオキシ)ベンジルイソチオシアネート、またはそれらの誘導体である、請求項３１記載の方法。
【請求項３３】  前記イソチオシアネートがスルフォラファンである、請求項３２記載の方法。
【請求項３４】  (a)において作用物質が取除かれた後、(b)が(a)のヘリコバクターについて実行される、請求項３１記載の方法。
【請求項３５】  前記ヘリコバクターがヘリコバクターピロリである、請求項３１記載の方法。
【請求項３６】  前記ヘリコバクターが動物細胞内またはその周囲に発生する、請求項３１記載の方法。
【請求項３７】  インビボで行われる、請求項３１記載の方法。
【請求３８】  インビトロで行われる、請求項３１記載の方法。